(57)【要約】【課題】  ＨＤ／Ｄ１−ＳＤＩのフォーマットのデータエラーチェック条件では検出できない部分についても切替制御を可能とする変換装置を提供する。【解決手段】  ＳＯＮＥＴ／ＳＤＨ網を経由して非圧縮ベースバンドディジタル映像信号を伝送するシステムにおいて、変換装置（１）は受信信号を非圧縮ベースバンドディジタル映像信号に変換する。変換装置は、ＳＯＮＥＴ／ＳＤＨ網上の信号のデータエラーチェックを行うエラー検出手段（１２）と、データエラーチェックの結果を非圧縮ベースバンドディジタル映像信号の無瞬断切替のトリガとして出力する手段（１４）とを有する。【選択図】      図１
2010034913.tif 000002
【特許請求の範囲】
【請求項１】
ＳＯＮＥＴ／ＳＤＨ（Ｓｙｎｃｈｅｏｎｏｕｓ  Ｏｐｔｉｃａｌ  ＮＥＴｗｏｒｋ／Ｓｙｎｃｈｅｏｎｏｕｓ  Ｄｉｇｉｔａｌ  Ｈｉｅｒａｒｃｈｙ）網を経由して非圧縮ベースバンドディジタル映像信号を伝送するシステムにおいて受信信号を前記非圧縮ベースバンドディジタル映像信号に変換する変換装置であって、
前記ＳＯＮＥＴ／ＳＤＨ網上の信号のデータエラーチェックを行うエラー検出手段と、
前記データエラーチェックの結果を前記非圧縮ベースバンドディジタル映像信号の無瞬断切替のトリガとして出力する手段とを有することを特徴とする変換装置。
【請求項２】
前記エラー検出手段に、前記非圧縮ベースバンドディジタル映像信号であるＨＤ−ＳＤＩ（Ｈｉｇｈ  Ｄｅｆｉｎｉｔｉｏｎ  ｔｅｌｅｖｉｓｉｏｎ  Ｓｅｒｉａｌ  Ｄｉｇｉｔａｌ  Ｉｎｔｅｒｆａｃｅ）信号及びＤ１−ＳＤＩ信号の少なくとも一方のデータエラーの検出条件を追加したことを特徴とする請求項１記載の変換装置。
【請求項３】
前記エラー検出手段は、ＥＤＨ（Ｅｒｒｏｒ  Ｄｅｔｅｃｔｉｏｎ  ａｎｄ  Ｈａｎｄｌｉｎｇ）が付加されていないＤ１−ＳＤＩ信号のデータエラーの検出と前記ＨＤ−ＳＤＩ信号のＣＲＣ（Ｃｙｃｌｉｃ  Ｒｅｄｕｎｄａｎｃｙ  Ｃｈｅｃｋ）の演算範囲外のデータエラーの検出とを行うことを特徴とする請求項２記載の変換装置。
【請求項４】
前記ＳＯＮＥＴ／ＳＤＨ網で検出するＢ１，Ｂ２，Ｂ３領域にあるデータ演算結果の不一致を前記データエラーチェックによる前記非圧縮ベースバンドディジタル映像信号の無瞬断切替のトリガとして出力することを特徴とする請求項１から請求項３のいずれか記載の変換装置。
【請求項５】
ＳＯＮＥＴ／ＳＤＨ（Ｓｙｎｃｈｅｏｎｏｕｓ  Ｏｐｔｉｃａｌ  ＮＥＴｗｏｒｋ／Ｓｙｎｃｈｅｏｎｏｕｓ  Ｄｉｇｉｔａｌ  Ｈｉｅｒａｒｃｈｙ）網を経由して非圧縮ベースバンドディジタル映像信号を伝送する映像信号伝送システムであって、
前記ＳＯＮＥＴ／ＳＤＨ網上の信号のデータエラーチェックを行うエラー検出手段と、
前記データエラーチェックの結果を前記非圧縮ベースバンドディジタル映像信号の無瞬断切替のトリガとして出力する手段と、
前記トリガに応答して前記非圧縮ベースバンドディジタル映像信号の無瞬断切替を行う手段とを有することを特徴とする映像信号伝送システム。
【請求項６】
前記エラー検出手段に、前記非圧縮ベースバンドディジタル映像信号であるＨＤ−ＳＤＩ（Ｈｉｇｈ  Ｄｅｆｉｎｉｔｉｏｎ  ｔｅｌｅｖｉｓｉｏｎ  Ｓｅｒｉａｌ  Ｄｉｇｉｔａｌ  Ｉｎｔｅｒｆａｃｅ）信号及びＤ１−ＳＤＩ信号の少なくとも一方のデータエラーの検出条件を追加したことを特徴とする請求項５記載の映像信号伝送システム。
【請求項７】
前記エラー検出手段は、ＥＤＨ（Ｅｒｒｏｒ  Ｄｅｔｅｃｔｉｏｎ  ａｎｄ  Ｈａｎｄｌｉｎｇ）が付加されていないＤ１−ＳＤＩ信号のデータエラーの検出と前記ＨＤ−ＳＤＩ信号のＣＲＣ（Ｃｙｃｌｉｃ  Ｒｅｄｕｎｄａｎｃｙ  Ｃｈｅｃｋ）の演算範囲外のデータエラーの検出とを行うことを特徴とする請求項６記載の映像信号伝送システム。
【請求項８】
前記ＳＯＮＥＴ／ＳＤＨ網で検出するＢ１，Ｂ２，Ｂ３領域にあるデータ演算結果の不一致を前記データエラーチェックによる前記非圧縮ベースバンドディジタル映像信号の無瞬断切替のトリガとして出力することを特徴とする請求項５から請求項７のいずれか記載の映像信号伝送システム。
【請求項９】
ＳＯＮＥＴ／ＳＤＨ（Ｓｙｎｃｈｅｏｎｏｕｓ  Ｏｐｔｉｃａｌ  ＮＥＴｗｏｒｋ／Ｓｙｎｃｈｅｏｎｏｕｓ  Ｄｉｇｉｔａｌ  Ｈｉｅｒａｒｃｈｙ）網を経由して非圧縮ベースバンドディジタル映像信号を伝送する映像信号伝送システムに用いる無瞬断切替方法であって、
前記ＳＯＮＥＴ／ＳＤＨ網上の信号のデータエラーチェックを行い、前記データエラーチェックの結果を前記非圧縮ベースバンドディジタル映像信号の無瞬断切替のトリガとして出力し、前記トリガに応答して前記非圧縮ベースバンドディジタル映像信号の無瞬断切替を行うことを特徴とする無瞬断切替方法。
【請求項１０】
前記データエラーチェックを行う際に、前記非圧縮ベースバンドディジタル映像信号であるＨＤ−ＳＤＩ（Ｈｉｇｈ  Ｄｅｆｉｎｉｔｉｏｎ  ｔｅｌｅｖｉｓｉｏｎ  Ｓｅｒｉａｌ  Ｄｉｇｉｔａｌ  Ｉｎｔｅｒｆａｃｅ）信号及びＤ１−ＳＤＩ信号の少なくとも一方のデータエラーの検出条件を追加したことを特徴とする請求項９記載の無瞬断切替方法。
【請求項１１】
前記データエラーチェックにおいて、ＥＤＨ（Ｅｒｒｏｒ  Ｄｅｔｅｃｔｉｏｎ  ａｎｄ  Ｈａｎｄｌｉｎｇ）が付加されていないＤ１−ＳＤＩ信号のデータエラーの検出と前記ＨＤ−ＳＤＩ信号のＣＲＣ（Ｃｙｃｌｉｃ  Ｒｅｄｕｎｄａｎｃｙ  Ｃｈｅｃｋ）の演算範囲外のデータエラーの検出とを行うことを特徴とする請求項１０記載の無瞬断切替方法。
【請求項１２】
前記ＳＯＮＥＴ／ＳＤＨ網で検出するＢ１，Ｂ２，Ｂ３領域にあるデータ演算結果の不一致を前記データエラーチェックによる前記非圧縮ベースバンドディジタル映像信号の無瞬断切替のトリガとして出力することを特徴とする請求項９から請求項１１のいずれか記載の無瞬断切替方法。
【発明の詳細な説明】
【技術分野】
【０００１】
本発明は変換装置、映像信号伝送システム及びそれらに用いる無瞬断切替方法に関し、特にＳＯＮＥＴ／ＳＤＨ（Ｓｙｎｃｈｅｏｎｏｕｓ  Ｏｐｔｉｃａｌ  ＮＥＴｗｏｒｋ／Ｓｙｎｃｈｅｏｎｏｕｓ  Ｄｉｇｉｔａｌ  Ｈｉｅｒａｒｃｈｙ）網を経由した冗長構成のベースバンドディジタル映像信号（ＨＤ／Ｄ１−ＳＤＩ）伝送時のデータエラー発生における無瞬断切替方法に関する。
【背景技術】
【０００２】
ＳＯＮＥＴ／ＳＤＨ網を経由した冗長構成（２重化構成）のベースバンドディジタル映像信号伝送のデータエラー時の切り替えとしては、ＨＤ−ＳＤＩ（Ｈｉｇｈ  Ｄｅｆｉｎｉｔｉｏｎ  ｔｅｌｅｖｉｓｉｏｎ  Ｓｅｒｉａｌ  Ｄｉｇｉｔａｌ  Ｉｎｔｅｒｆａｃｅ）の場合と、Ｄ１−ＳＤＩの場合とがある。ＨＤ−ＳＤＩは、放送局が取り扱うハイビジョン用のシリアルの生データ１．４８５Ｇｂｐｓ／１．００１であり、Ｄ１−ＳＤＩは、放送局が取り扱うアナログ用のシリアルの生データ２７０Ｍｂｐｓである。
【０００３】
ＨＤ−ＳＤＩの場合は、
・各ライン毎に埋め込まれているＣＲＣ（Ｃｙｃｌｉｃ  Ｒｅｄｕｎｄａｎｃｙ  Ｃｈｅｃｋ）の演算結果の不一致
・ＣＲＣの演算範囲外である補助データ領域に関しては，音声データのチェックサムの不一致
・行の始まり／終わりを表すＴＲＳ（Ｔｉｍｉｎｇ  Ｒｅｆｅｒｅｎｃｅ  Ｓｉｇｎａｌ）の周期性の不一致
をデータエラーのトリガ条件としている。
【０００４】
また、Ｄ１−ＳＤＩの場合は、
・ＥＤＨ（Ｅｒｒｏｒ  Ｄｅｔｅｃｔｉｏｎ  ａｎｄ  Ｈａｎｄｌｉｎｇ）が埋め込まれている場合、フルフィールドのＣＲＣの演算結果の不一致
・行の始まり／終わりを表すＴＲＳの周期性の不一致
をデータエラーのトリガ条件としている。
【０００５】
尚、ＳＯＮＥＴ／ＳＤＨ網に用いられる無瞬断切替装置の一例としては、現用系のＷＤＭ（Ｗａｖｅｌｅｎｇｔｈ  Ｄｉｖｉｓｉｏｎ  Ｍｕｌｔｉｐｌｅｘｉｎｇ）装置と予備系のＷＤＭ装置とに光ファイバを介して接続され、いずれか一方のＷＤＭ装置と伝送装置との接続を切り替える装置がある（例えば、特許文献１参照）。
【特許文献１】特開２００５−２６０８２０号公報
【発明の開示】
【発明が解決しようとする課題】
【０００６】
上述したベースバンドディジタル映像信号伝送のデータエラー時の切り替えでは、ＨＤ−ＳＤＩの場合、ＣＲＣ演算範囲外の補助データ領域に多重されている各種パケットのデータフォーマットを全て網羅するにはデータ量が莫大となってしまうという課題がある。
【０００７】
また、上記のデータエラー時の切り替えでは、Ｄ１−ＳＤＩの場合、ＥＤＨが必須でないため、ＥＤＨが多重されていない場合にはデータエラーを確認することができないという課題がある。さらに、ＥＤＨのデータは、各フィールドに１回しかないため、データエラーチェックに要する時間がかかるという課題がある。
【０００８】
一方、上記の特許文献１に記載のようなＳＯＮＥＴ／ＳＤＨ網の冗長構成の場合のデータエラーによる切り替えとしては、ＡＰＳ（Ａｕｔｏ  Ｐｒｏｔｅｃｔｉｏｎ  Ｓｗｉｔｃｈｉｎｇ）が仕様としてあるが、切替時間を保証するものであり、無瞬断まではサポートしていない。
【０００９】
そこで、本発明の目的は上記の問題点を解消し、ＨＤ／Ｄ１−ＳＤＩのフォーマットのデータエラーチェック条件では検出できない部分についても切替制御を可能とすることができる変換装置、映像信号伝送システム及びそれらに用いる無瞬断切替方法を提供することにある。
【課題を解決するための手段】
【００１０】
本発明による変換装置は、ＳＯＮＥＴ／ＳＤＨ（Ｓｙｎｃｈｅｏｎｏｕｓ  Ｏｐｔｉｃａｌ  ＮＥＴｗｏｒｋ／Ｓｙｎｃｈｅｏｎｏｕｓ  Ｄｉｇｉｔａｌ  Ｈｉｅｒａｒｃｈｙ）網を経由して非圧縮ベースバンドディジタル映像信号を伝送するシステムにおいて受信信号を前記非圧縮ベースバンドディジタル映像信号に変換する変換装置であって、
前記ＳＯＮＥＴ／ＳＤＨ網上の信号のデータエラーチェックを行うエラー検出手段と、
前記データエラーチェックの結果を前記非圧縮ベースバンドディジタル映像信号の無瞬断切替のトリガとして出力する手段とを備えている。
【００１１】
本発明による映像信号伝送システムは、ＳＯＮＥＴ／ＳＤＨ（Ｓｙｎｃｈｅｏｎｏｕｓ  Ｏｐｔｉｃａｌ  ＮＥＴｗｏｒｋ／Ｓｙｎｃｈｅｏｎｏｕｓ  Ｄｉｇｉｔａｌ  Ｈｉｅｒａｒｃｈｙ）網を経由して非圧縮ベースバンドディジタル映像信号を伝送する映像信号伝送システムであって、
前記ＳＯＮＥＴ／ＳＤＨ網上の信号のデータエラーチェックを行うエラー検出手段と、
前記データエラーチェックの結果を前記非圧縮ベースバンドディジタル映像信号の無瞬断切替のトリガとして出力する手段と、
前記トリガに応答して前記非圧縮ベースバンドディジタル映像信号の無瞬断切替を行う手段とを備えている。
【００１２】
本発明による無瞬断切替方法は、ＳＯＮＥＴ／ＳＤＨ（Ｓｙｎｃｈｅｏｎｏｕｓ  Ｏｐｔｉｃａｌ  ＮＥＴｗｏｒｋ／Ｓｙｎｃｈｅｏｎｏｕｓ  Ｄｉｇｉｔａｌ  Ｈｉｅｒａｒｃｈｙ）網を経由して非圧縮ベースバンドディジタル映像信号を伝送する映像信号伝送システムに用いる無瞬断切替方法であって、
前記ＳＯＮＥＴ／ＳＤＨ網上の信号のデータエラーチェックを行い、前記データエラーチェックの結果を前記非圧縮ベースバンドディジタル映像信号の無瞬断切替のトリガとして出力し、前記トリガに応答して前記非圧縮ベースバンドディジタル映像信号の無瞬断切替を行っている。
【発明の効果】
【００１３】
本発明は、上記のような構成及び動作とすることで、ＨＤ／Ｄ１−ＳＤＩのフォーマットのデータエラーチェック条件では検出できない部分についても切替制御を可能とすることができるという効果が得られる。
【発明を実施するための最良の形態】
【００１４】
次に、本発明の実施の形態について図面を参照して説明する。まず、本発明による映像信号伝送システムについて説明する。本発明による映像信号伝送システムは、ＳＯＮＥＴ／ＳＤＨ（Ｓｙｎｃｈｅｏｎｏｕｓ  Ｏｐｔｉｃａｌ  ＮＥＴｗｏｒｋ／Ｓｙｎｃｈｅｏｎｏｕｓ  Ｄｉｇｉｔａｌ  Ｈｉｅｒａｒｃｈｙ）網を経由して非圧縮ベースバンドディジタル映像信号を伝送するシステムであり、この非圧縮ベースバンドディジタル映像信号の無瞬断切替方法に関する。
【００１５】
本発明では、上記のような課題を解決するために、上流のＳＯＮＥＴ／ＳＤＨ網上のデータエラーチェックの結果を、無瞬断切替のトリガとして追加することによって、ＨＤ−ＳＤＩ（Ｈｉｇｈ  Ｄｅｆｉｎｉｔｉｏｎ  ｔｅｌｅｖｉｓｉｏｎ  Ｓｅｒｉａｌ  Ｄｉｇｉｔａｌ  Ｉｎｔｅｒｆａｃｅ）、Ｄ１−ＳＤＩ（以下、ＨＤ／Ｄ１−ＳＤＩとする）のデータエラーの検出条件を追加し、無瞬断切替の検出可能領域を拡大している。
【００１６】
これによって、本発明では、ＳＯＮＥＴ／ＳＤＨ網を経由したベースバンドディジタル映像信号伝送にて、ＥＤＨ（Ｅｒｒｏｒ  Ｄｅｔｅｃｔｉｏｎ  ａｎｄ  Ｈａｎｄｌｉｎｇ）が付加されていないＤ１−ＳＤＩ信号のデータエラーの検出及びＨＤ−ＳＤＩのＣＲＣ（Ｃｙｃｌｉｃ  Ｒｅｄｕｎｄａｎｃｙ  Ｃｈｅｃｋ）の演算範囲外のデータエラーの検出を可能としている。
【００１７】
また、Ｄ１−ＳＤＩ信号の場合、ＥＤＨが付加されていても１フィールドに１回のデータエラー確認であるが、本発明では、データエラーの検出条件を追加しているので、無瞬断切替装置の遅延を改善することができる。
【００１８】
本発明は、無瞬断切替のデータエラー検出条件を拡大するために、ＳＯＮＥＴ／ＳＤＨ網で検出するデータ演算結果（Ｂ１，Ｂ２，Ｂ３領域にあるデータ演算結果）の不一致をデータエラーによる無瞬断切替のトリガに追加することによって、ＨＤ／Ｄ１−ＳＤＩのフォーマットのデータエラーチェック条件では検出できない部分についても、無瞬断切替制御を可能としている。
【００１９】
つまり、本発明は、ＳＯＮＥＴ／ＳＤＨ網を経由した冗長構成のベースバンドディジタル映像信号の伝送（ＨＤ／Ｄ１−ＳＤＩ）でエラーが発生した際に、無瞬断切替を行う条件を拡大している。
【００２０】
このように、本発明は、ＳＯＮＥＴ／ＳＤＨレベルでのデータエラー検出を切替条件に追加することで、ＨＤ／Ｄ１−ＳＤＩフォーマットのデータエラーチェックでは不十分であった部分についてもデータエラーを検出可能とし、より広範囲のデータエラーに関する無瞬断切替を行うことができる。また、本発明は、ＳＯＮＥＴ／ＳＤＨ網の受信データエラーを検出条件としているため、送信側で無瞬断切替のためにデータを加工する必要がない。
【００２１】
図１は本発明の実施の形態によるＯＣ−４８（Ｏｐｔｉｃａｌ  Ｃａｒｒｉｅｒ  ｌｅｖｅｌ４８）（ＳＯＮＥＴ）／ＳＴＭ−１６（Ｓｙｎｃｈｒｏｎｏｕｓ  Ｔｒａｎｓｍｉｓｓｉｏｎ  Ｍｏｄｕｌｅ  ｌｅｖｅｌ１６）（ＳＤＨ）→ＨＤ／Ｄ１−ＳＤＩ変換装置（以下、ＨＤ／Ｄ１−ＳＤＩ変換装置とする）の構成例を示すブロック図である。
【００２２】
図１において、ＨＤ／Ｄ１−ＳＤＩ変換装置１は、デフレーマー／フレーマー（ＤｅＦｒａｍｅｒ／Ｆｒａｍｅｒ）部１０と、データデマッピング（ＤＡＴＡ  Ｄｅｍａｐｐｉｎｇ）部１３と、アラーム検出制御部１４と、データ制御部１５〜１８とから構成されている。デフレーマー／フレーマー部１０は、受信データエラー検出部１２を備えたデフレーマー部１１を含んでいる。
【００２３】
図２は本発明の実施の形態による映像信号伝送システムの構成例を示すブロック図である。図２においては、ＳＯＮＥＴ／ＳＤＨ網１０１，１０２を経由してベースバンドディジタル映像信号を伝送する冗長構成の映像信号伝送システムを示している。尚、ＳＯＮＥＴ／ＳＤＨ網１０１，１０２の回線は、ＯＣ−４８／ＳＴＭ−１６としている。
【００２４】
本発明の実施の形態による映像信号伝送システムは、ＨＤ／Ｄ１−ＳＤＩ→ＯＣ−４８（Ｏｐｔｉｃａｌ  Ｃａｒｒｉｅｒ  ｌｅｖｅｌ４８）（ＳＯＮＥＴ）／ＳＴＭ−１６（Ｓｙｎｃｈｒｏｎｏｕｓ  Ｔｒａｎｓｍｉｓｓｉｏｎ  Ｍｏｄｕｌｅ  ｌｅｖｅｌ１６）（ＳＤＨ）変換装置（以下、ＯＣ／ＳＴＭ変換装置とする）２−１，２−２と、ＨＤ／Ｄ１−ＳＤＩ変換装置１−１，１−２と、シームレス切替器３−１，３−２と、ＳＯＮＥＴ／ＳＤＨ網１０１，１０２とから構成されている。
【００２５】
図３は図２のＯＣ／ＳＴＭ変換装置２−１，２−２の構成例を示すブロック図である。図３において、ＯＣ／ＳＴＭ変換装置２は、データマッピング（ＤＡＴＡ  Ｍａｐｐｉｎｇ）部２１と、フレーマー／デフレーマー（Ｆｒａｍｅｒ／ＤｅＦｒａｍｅｒ）部２２とから構成されている。
【００２６】
以下、図１〜図３を参照して本発明の実施の形態による映像信号伝送システムについて説明する。
【００２７】
ＨＤ−ＳＤＩ  １系、Ｄ１−ＳＤＩ  １系、ＨＤ−ＳＤＩ  ２系、Ｄ１−ＳＤＩ  ２系は、送信側のベースバンドディジタル映像信号の映像出力を冗長構成をとった装置にそれぞれ分配出力した際のそれぞれの系統のベースバンドディジタル映像信号の映像出力を表している。
【００２８】
ＯＣ／ＳＴＭ変換装置２−１，２−２は、ベースバンドディジタル映像信号をＳＯＮＥＴ／ＳＤＨ網１０１，１０２のデータフォーマットに変換する装置を表している。ＯＣ／ＳＴＭ変換装置２−１，２−２において、データマッピング部２１はペイロード領域のデータマッピングを行い、フレーマー／デフレーマー部２２はＳＯＮＥＴ／ＳＤＨ網１０１，１０２のデータ形式として出力する。
【００２９】
また、ＯＣ／ＳＴＭ変換装置２−１，２−２は、ＳＯＮＥＴ／ＳＤＨ網１０１，１０２から送られてきたデータを受信し、フレーマー／デフレーマー部２２でＳＯＮＥＴ／ＳＤＨ網１０１，１０２のデータ形式からペイロード部分を抽出する。フレーマー／デフレーマー部２２において処理をする際には、ＳＯＮＥＴ／ＳＤＨ網１０１，１０２のＳＯＨ（Ｓｅｃｔｉｏｎ  ＯｖｅｒＨｅａｄ）領域とＰＯＨ（Ｐａｔｈ  ＯｖｅｒＨｅａｄ）領域とに前フレームのデータエラーチェックの演算結果が記載されている。
【００３０】
ＨＤ／Ｄ１−ＳＤＩ変換装置１−１，１−２内のデフレーマー部１１の受信データエラー検出部１２は、Ｂ１バイト，Ｂ２バイト，Ｂ３バイトのエラーと、データエラーチェックの照合とを行う。Ｂ１バイト，Ｂ２バイト，Ｂ３バイトのどのエラーを使用するかはユーザにて設定を行う。
【００３１】
アラーム検出制御部１４は、受信データエラー検出部１２から出力されるＢ１バイト，Ｂ２バイト，Ｂ３バイトのエラー出力を監視し、エラーが発生した場合に切替トリガ出力として外部出力を行うか、データデマッピング１３にてペイロード領域をデマッピングして抽出されたＨＤ／Ｄ１−ＳＤＩ信号に切り替える切替トリガとしてデータ制御部１５〜１８に知らせる。
【００３２】
データ制御部１５〜１８は、正常時にデータの加工を行わないが、アラーム検出制御部１４から切替トリガが出力された場合、ＴＲＳ（Ｔｉｍｉｎｇ  Ｒｅｆｅｒｅｎｃｅ  Ｓｉｇｎａｌ）データをわざと壊すことによって、シームレス切替器３−１，３−２にデータエラーの通知を行う。
【００３３】
Ｄ１−ＳＤＩ信号の場合には、ＥＤＨが付加されていなければ映像データエラーを確認することができ、ＥＤＨが付加されていても１フィールド（約１６ｍｓ）に１回しかデータエラーの確認ができないため、ＳＯＮＥＴ／ＳＤＨ網１０１，１０２の１フレーム（１２５μｓ）単位で検出可能になり、検出までにかかく時間を大幅に短縮することができる。
【００３４】
ＨＤ−ＳＤＩ信号の場合に関しても、ＣＲＣの演算範囲外である補助データのデータエラーを検出することができる。
【００３５】
シームレス切替器３−１，３−２には、１系，２系のベースバンドディジタル映像信号と１系，２系の切替トリガとが入力される。シームレス切替器３−１，３−２は、アラーム検出制御部１４からの切替トリガ出力を使用することも可能であり、データ制御部１５〜１８からのベースバンドディジタル映像信号のＴＲＳが壊れたデータを検出することのどちらでも良い。シームレス切替器３−１，３−２からは、ベースバンドディジタル映像信号の切替出力が出力される。
【００３６】
図４は図２のシームレス切替器３−１，３−２の構成例を示すブロック図である。図４において、シームレス切替器３−１，３−２は、ケーブル補償部３１，３２と、シリアル→パラレル変換部３３，３４と、エラー監視同期検出部３５，３６と、切替制御部３７と、メモリ３８，３９と、メモリ制御位相調整部４０と、ＰＬＬ（Ｐｈａｓｅ  Ｌｏｃｋｅｄ  Ｌｏｏｐ）コントロール４１と、ＶＣＯ（Ｖｏｌｔａｇｅ  Ｃｏｎｔｒｏｌｌｅｄ  Ｏｓｃｉｌｌａｔｏｒ）４２と、映像信号切替部４３とから構成されている。
【００３７】
３０１は１系の映像信号入力であり、３０２は１系の切替トリガであり、３０３は２系の映像信号入力であり、３０４は２系の切替トリガである。
【００３８】
ケーブル補償部３１，３２は、ケーブル補償を行い、シリアル→パラレル変換部３３，３４は、シリアルデータをパラレルデータに変換し、データとクロックとを出力する。
【００３９】
エラー監視同期検出部３５，３６は、エラー監視を行っており、ＨＤ／Ｄ１−ＳＤＩのデータエラーチェックを行う。エラー監視同期検出部３５，３６は、データエラーを検出した場合、１系，２系の切替制御信号を映像信号切替部４３に出力する。
【００４０】
また、エラー監視同期検出部３５，３６は、同期検出から映像信号の位相情報をメモリ制御位相調整部４０に出力し、映像信号切替部４３にて映像信号切替を行っても、メモリ３８，３９から出力されるデータのつなぎ目が一致するようにライト（ＷＲＩＴＥ）アドレスを制御する。
【００４１】
さらに、映像信号を切り替える瞬間に、１系のクロックと２系のクロックとの位相関係によっては、メモリ３８，３９から読出す際にラッチミスを起こす可能性があるため、ＰＬＬコントロール４１及びＶＣＯ４２にてＰＬＬ制御を行うことによって、切り替えたショックによるデータエラーを起こさないようにする。
【００４２】
映像信号切替部４３による映像信号切替で出力される信号は、映像信号出力３０５となり、シームレスに映像信号を切り替えることが可能となる。
【００４３】
尚、本発明は、映像データのペイロード領域が細かく分かれている場合、必要な系統のみの切り替えを行うことも可能である。
【図面の簡単な説明】
【００４４】
【図１】本発明の実施の形態によるＯＣ−４８（ＳＯＮＥＴ）／ＳＴＭ−１６（ＳＤＨ）→ＨＤ／Ｄ１−ＳＤＩ変換装置の構成例を示すブロック図である。
【図２】本発明の実施の形態による映像信号伝送システムの構成例を示すブロック図である。
【図３】図２のＯＣ／ＳＴＭ変換装置の構成例を示すブロック図である。
【図４】図２のシームレス切替器の構成例を示すブロック図である。
【符号の説明】
【００４５】
１，１−１，１−２  ＯＣ−４８（ＳＯＮＥＴ）／ＳＴＭ−１６（ＳＤＨ）
→ＨＤ／Ｄ１−ＳＤＩ変換装置
２，２−１，２−２  ＨＤ／Ｄ１−ＳＤＩ
→ＯＣ−４８（ＳＯＮＥＴ）／ＳＴＭ−１６（ＳＤＨ）変換装置
３−１，３−２  シームレス切替器
１０  デフレーマー／フレーマー部
１１  デフレーマー部
１２  受信データエラー検出部
１３  データデマッピング部
１４  アラーム検出制御部
１５〜１８  データ制御部
２１  データマッピング部
２２  フレーマー／デフレーマー部
３１，３２  ケーブル補償部
３３，３４  シリアル→パラレル変換部
３５，３６  エラー監視同期検出部
３７  切替制御部
３８，３９  メモリ
４０  メモリ制御位相調整部
４１  ＰＬＬコントロール
４２  ＶＣＯ
４３  映像信号切替部
１０１，１０２  ＳＯＮＥＴ／ＳＤＨ網
【図１】
2010034913.tif 000003
【図２】
2010034913.tif 000004
【図３】
2010034913.tif 000005
【図４】
2010034913.tif 000006